(57)【要約】【課題】  本発明は、製造コストを低く抑え、かつ文字車の作動を円滑に保つことのできる積算計を提供することを目的とする。【解決手段】  フレーム５の両側壁にシャフト１の両端部を支持し、シャフト１に複数個の文字車２を挿通配置するとともに、各文字車２の相互間にピニオンギヤ４を噛合形成し、文字車２の最下位桁と最上位桁との各外側面に当接して文字車２のシャフト１方向への自由移動を規制する係止部材７をシャフト１に設け、順次文字車２の最下位桁から上位桁へと桁上げ動作するようにした積算計において、シャフト１の端部にフレーム５に対して位置決めを行うために転造加工によって径小軸部１ａを形成するとともに、文字車２の組み付け位置を設定するために係止部材７を嵌め込むための径小軸部１ｂを転造加工によって形成し、少なくとも最下位桁の文字車２に位置するシャフト１の外周面に速乾性のオイル８を塗布してなることを特徴とする積算計。【選択図】  図３
2014120048.tif 000002
【特許請求の範囲】
【請求項１】
フレームの両側壁にシャフトの両端部を支持し、このシャフトに複数個の文字車を挿通配置するとともに、前記各文字車の相互間にピニオンギヤを噛合形成し、前記文字車の最下位桁と最上位桁との各外側面に当接して前記文字車の前記シャフト方向への自由移動を規制する係止部材を前記シャフトに設け、順次文字車の最下位桁から上位桁へと桁上げ動作するようにした積算計において、前記シャフトの端部に前記フレームに対して位置決めを行うために転造加工によって径小軸部を形成するとともに、前記文字車の組み付け位置を設定するために前記係止部材を嵌め込むための径小軸部を転造加工によって形成し、少なくとも最下位桁の前記文字車に位置する前記シャフトの外周面に速乾性のオイルを塗布してなることを特徴とする積算計。
【請求項２】
前記文字車の最下位桁と前記係止部材との接触する部分に前記速乾性のオイルを塗布してなることを特徴とする請求項１に記載の積算計。
【発明の詳細な説明】
【技術分野】
【０００１】
本発明は、下位桁から順次上位桁へと複数の文字車を回転駆動してたとえば車両などの走行距離を計測表示する積算計に関するものである。
【背景技術】
【０００２】
従来、この種の積算計は、速度計などのフレームに架設されたシャフトに複数個の文字車を挿通し、各文字車の相互間にピニオンギヤを噛合させ、最下位桁文字車の１回転毎にピニオンギヤを介して上位桁側の文字車を桁上げ回転させ、順次文字車の下位桁から上位桁へと桁上げ動作するように構成している。
ところで、フレームに架設されるシャフトには、特許文献１や特許文献２などに示されているように、そのシャフトの端部にフレームに対して位置決めを行うための径小軸部を形成したり、各文字車の組み付け位置を設定するために係止部材となるスナップワッシャ（丸くさび）を嵌め込むための径小軸部を形成している。この径小軸部を形成する場合、切削によって形成すると製造コストが高くなってしまうため、転造加工によってシャフトの径小軸部を形成することによって製造コストを抑えるようにしている。
【０００３】
【特許文献１】実公昭４４−１２４１９号公報
【特許文献２】特開平４−３１１２８７号公報
【発明の開示】
【発明が解決しようとする課題】
【０００４】
しかしながら前述の特許文献１あるいは特許文献２による積算計にあっては、シャフトの製作時において、金型を押しつけながらシャフトを回転する際に金型とシャフトとが滑ることがあるため、金型の表面を粗面加工することによって滑りを抑えるようにしている。このため、金型の粗面となっている表面がシャフトに転写されてしまい、シャフトの表面が荒れてしまうため、文字車の回転駆動時においてスムーズな回転が得られないことがあり、文字車の桁上げ作動などにおいて支障を来す虞がある。この問題点を解決するために、桁上げ時の摩擦抵抗を軽減する目的として回転駆動の頻度の高い下位桁側の文字車と接触するシャフトにグリースを塗布することも考えられるが、積算計の組立時において、文字車の歯車表面にグリースが付着してしまい、商品性を低下させてしまうという問題点を有していた。
【０００５】
そこで本発明は、前述の問題点に着目し、製造コストを低く抑え、かつ文字車の作動を円滑に保つことのできる積算計を提供することを目的とするものである。
【課題を解決するための手段】
【０００６】
本発明は前述した課題を解決するため、請求項１では、フレームの両側壁にシャフトの両端部を支持し、このシャフトに複数個の文字車を挿通配置するとともに、各文字車の相互間にピニオンギヤを歯合形成し、文字車の最下位桁と最上位桁との各外側面に当接して文字車のシャフト方向への自由移動を規制する係止部材をシャフトに設け、順次文字車の最下位桁から上位桁へと桁上げ動作するようにした積算計において、前記シャフトの端部に前記フレームに対して位置決めを行うために転造加工によって径小軸部を形成するとともに、前記文字車の組み付け位置を設定するために前記係止部材を嵌め込むための径小軸部を転造加工によって形成し、少なくとも最下位桁の前記文字車に位置する前記シャフトの外周面に速乾性のオイルを塗布してなることを特徴とする積算計である。
【０００７】
このように構成することにより、シャフトに設けられる径小軸部を転造加工によって形成することができるため製造コストを低く抑えることができ、かつ少なくとも最下位桁文字車に位置するシャフトの外表面に速乾性のオイルを塗布することによって文字車の回転駆動を円滑に作動することができる。また、文字車表面に速乾性のオイルが付着した場合であっても、速乾性であるため目立たなくすることができるため、商品性を低下させるという問題も解消することができる。（商品性の低下を軽減できる。）
【０００８】
また請求項２では、前記文字車の最下位桁と前記係止部材との接触する部分に前記速乾性のオイルを塗布してなることを特徴とする請求項１に記載の積算計である。
【０００９】
このように構成することにより、最下位桁の文字車と係止部材との接触部分に速乾性のオイルを塗布することで摺動による摩擦を軽減することができる。
【発明の効果】
【００１０】
本発明では、製造コストを低く抑え、かつ文字車の作動を円滑に保つことのできる積算計を提供することができる。
【図面の簡単な説明】
【００１１】
【図１】本発明の実施形態である積算計を指示計器に組み付けた状態を示す斜視図である。
【図２】図２は、図１の積算計の要部構造を示す一部を断面で表した正面図である。
【図３】図３は、図２の積算計を分解した状態を示す要部の正面図である。
【図４】図４は、図１のフレームに対し、シャフトの取り付け状態を示す要部の側面図である。
【図５】図５は、図３のシャフトの成形前と成形後とを示す概略図および一部拡大模式図である。
【発明を実施するための最良の形態】
【００１２】
本発明の対象とする積算計を車両用の指示計器（速度計）のフレームに組み付けたものを示すものであり、以下本発明の積算計の実施形態を添付図面に基づいて説明する。
【００１３】
図１から図５は本発明の積算計の第１の実施形態を示すものであり、積算計機構は、金属製材料からなるシャフト１に複数個の文字車２を挿通し、この複数個の文字車２の相互間にピニオンホルダー３を配置し、このピニオンホルダー３に回転可能に組み付けられたピニオンギヤ４と、このピニオンギヤ４と文字車２とを噛合形成しており、この文字車２の１回転毎にピニオンギヤ４を介して上位桁側の文字車２を桁上げ回転させ、順次文字車２の下位桁から上位桁へと桁上げ動作するように構成している。
【００１４】
また、積算計に設けられたシャフト１の両端部分は、コ字状に形成された速度計本体の保持枠であるフレーム５に掛け渡されて固定保持されるように設けられている。
【００１５】
保持枠であるフレーム５の側壁端部には、シャフト１が保持されるように窪みからなる溝部５０が設けられている。この場合、溝部５０の両側の立ち上がり箇所にはシャフト１を固定するための加締め用突部５１が設けられ、フレームの５の溝部５０にセットした後、加締め用突部５１の端面箇所をシャフト１側へと塑性変形することにより、シャフト１の両端部がフレーム５に組み付け保持される。
【００１６】
なお、最下位桁の文字車２のさらに下位桁側には、例えば車両などの速度計本体からの回転駆動を伝達するための歯車６がシャフト１に挿通されている。
【００１７】
また、本実施形態においては、フレーム５に対し、シャフト１がその軸線方向に移動することを防ぐために、シャフト１の軸部の両端部に径小軸部１ａが転造加工によって形成されている。
【００１８】
またシャフト１には、各文字車２の組み付け位置を設定するために、係止部材７である丸くさびを嵌め込むための径小軸部１ｂが転造加工によって形成されている。
【００１９】
本実施形態においては、径小軸部１ｂは最下位桁の文字車２の外側面箇所と最上位桁の文字車２の外側面箇所との二箇所に設けているが、どちらか一方には径小軸部１ｂを設けない場合もあり、その際には、係止部材７としてリング状のカラーをシャフト１の端部から圧入して所定の位置に配置するようにすればよいものである。
【００２０】
シャフト１の製作時において、図示はしないが金型による転造加工によってシャフト１に径小軸部１ａ，１ｂを成形する際、金型を押しつけながらシャフト１を回転する時に金型とシャフト１とが滑ることがないように金型の表面を粗面加工することによって滑りを抑えるようにしている。このため、金型の粗面となっている表面がシャフト１に転写されてしまうため、シャフト１の表面が細かい凹凸となって荒れてしまうが、文字車２の回転駆動時においてスムーズな回転が得られるようにシャフト１の外周面に速乾性のオイル８を塗布するようにしている。本実施形態においては、速乾性のオイル８として、液状の潤滑剤を用いており、塗布後においては、べたつきのないセミドライ膜が形成される。
【００２１】
このように構成された積算計機構にあっては、シャフト１に設けられる径小軸部１ａを転造加工によって形成することができるため製造コストを低く抑えることができ、かつ少なくとも最下位桁文字車２に位置するシャフト１の外表面に速乾性のオイル８を塗布することによって文字車２の回転駆動を円滑に作動することができる。また、文字車２の表面に速乾性のオイル８が付着した場合であっても、速乾性であり目立たなくすることができるため、商品性の低下を軽減することができる。
【００２２】
また文字車２の最下位桁と係止部材７である丸くさびとの接触する部分に速乾性のオイル８を塗布してなることにより、最下位桁の文字車２と係止部材７（丸くさび）との接触部分に速乾性のオイル８を塗布することで摺動による摩擦を軽減することができる。
【００２３】
なお、速乾性のオイル８は、シャフト１の全体に塗布するようにしても良いものであり、結果的にシャフト１の外表面の凹凸箇所に塗布することによって、文字車２の回転駆動を円滑に行うことが可能となればよいものである。
【産業上の利用可能性】
【００２４】
また、前述した実施形態において詳述したように、車両用の積算計を例にして説明したが、車両用計器に限らず船舶用計器の稼働時間を積算表示するアワメータなどの積算計あるいは農業用機械や建設機械などの特殊車両の積算計などにおいても適用することが可能である。
【符号の説明】
【００２５】
１    シャフト
１ａ，１ｂ    径小軸部
２    文字車
３    ピニオンホルダー
４    ピニオンギヤ
５    フレーム
６    歯車
７    係止部材（丸くさび）
８    速乾性のオイル
５０    溝部
５１    加締め用突部
【図１】
2014120048.tif 000003
【図２】
2014120048.tif 000004
【図３】
2014120048.tif 000005
【図４】
2014120048.tif 000006
【図５】
2014120048.tif 000007